(57)【要約】再充電可能な自動照明ランプシステムは、再充電および支持部材上に取り外し可能に支持された1つ以上のセルフスタンディング再充電照明設備（発光体）を含む。各発光体は、ろうそくに似せて形作られ得るディフューザを含む。発光体は、また、再充電および支持部材への電力がターンオフされたとき、電力停止期間として照明体を自動的にターンオンすることにより、ターンオンし得る。発光体は、各々、再充電および支持部材に誘電的に結合され得る。それは、電気的接続なしの、美学的に好適なインターフェースを提供する。
2007521611.tif 000002
【特許請求の範囲】
【請求項１】
再充電可能な自動照明ランプシステムであって、
発光体のセットをサポートするように取り外し可能に適合される壁に取り付け可能な再充電ベースであって、それによってサポートされている該発光体のセットの発光体のそれぞれに結合されている第１の回路を含み、該発光体のセットの発光体のそれぞれに充電信号を提供するために、供給されるＡＣ電源に応答して動作する、壁に取り付け可能な再充電ベースと、
第２の回路を介して再充電可能バッテリパックに接続されている発光素子を有する発光体のセットであって、該発光体のセットの該発光体のそれぞれが、壁に取り付け可能な再充電ベースによってサポートされているとき、該再充電可能バッテリパックを充電するように１つのモードで動作し、該充電信号の欠如に応答して該発光素子を起動するように別のモードで動作する、発光体のセットと
を備え、
該壁に取り付け可能な再充電ベースから取り外されるとき、該発光体のセットの該発光体のそれぞれは点灯し、該壁に取り付け可能な再充電ベース上で受容するとき、「オフ」される、再充電可能な自動照明ランプシステム。
【請求項２】
前記第１の回路は、手動で作動されるスイッチを含み、該手動で作動されるスイッチをオフすることに応答して、ＡＣ電源が供給されていないとき、前記発光体のセットの前記発光体のそれぞれは点灯する、請求項１に記載の再充電可能な自動照明ランプシステム。
【請求項３】
ＡＣ電源のサービス故障に応答して、ＡＣ電源が供給されていないとき、前記発光体のセットの前記発光体のそれぞれは点灯する、請求項１に記載の再充電可能な自動照明ランプシステム。
【請求項４】
発光体のセットは、１つ以上の発光体を含む、請求項１に記載の再充電可能な自動照明ランプシステム。
【請求項５】
前記発光体のセットの前記発光体のそれぞれは、再充電プラッタの前記第１の回路によって提供される前記充電信号に誘導的に結合されている、請求項４に記載の再充電可能な自動照明ランプシステム。
【請求項６】
前記発光体のセットの発光体のそれぞれは、セルフスタンディングであり、フロント・フェイス・ディフューザを含む、請求項１に記載の再充電可能な自動照明ランプシステム。
【請求項７】
前記壁に取り付け可能な再充電ベースは、発光体をサポートするように適合される少なくとも１つのプロジェクションを有し、該発光体のセットの発光体のそれぞれは、該少なくとも１つのプロジェクションのそれぞれによってサポートされるように適合された開口部を有する、請求項１６に記載の再充電可能な自動照明ランプシステム。
【請求項８】
前記プロジェクションおよび開口部のそれぞれは、一般的に円柱状である、請求項７に記載の再充電可能な自動照明ランプシステム。
【請求項９】
前記プロジェクションのそれぞれは、フリー・エンドを有し、さらに、該フリー・エンドに取り付けられたディフューザ含む、請求項８に記載の再充電可能な自動照明ランプシステム。
【請求項１０】
壁に取り付け可能な再充電ベースは、壁のプラグに取り付け可能な再充電ベースである、請求項１に記載の再充電可能な自動照明ランプシステム。
【請求項１１】
再充電可能な自動照明ランプシステムであって、
発光体のセットを取り外し可能にサポートする充電ベースであって、該ベースによってサポートされる該発光体のセットの発光体のそれぞれに充電信号を提供する充電回路を含む、充電ベースと、
発光体のセットであって、該発光体のセットのそれぞれは、ランプおよび該ランプに接続されている再充電可能なバッテリパックを含む、発光体のセットと、
該発光体のセットの発光体のそれぞれに結合されており、該充電信号に応答する、自動照明手段であって、該充電信号の未検出に応答して該ランプの発光体のそれぞれを点灯させ、該充電信号の検出に応答して該ランプの発光体のそれぞれを「オフ」する、自動照明手段と
を備え、
該ベースから取り外されるとき、該発光体のセットの発光体のそれぞれは点灯し、それによってサポートされているとき、「オフ」する、再充電可能な自動照明ランプシステム。
【請求項１２】
前記セットは、１つ以上の発光体を含む、請求項１１に記載の再充電可能な自動照明ランプシステム。
【請求項１３】
前記充電ベースは、壁に取り付け可能な充電ベースである、請求項１１に記載の再充電可能な自動照明ランプシステム。
【請求項１４】
壁に取り付け可能な再充電ベースは、壁のプラグに取り付け可能な再充電ベースである、請求項１３に記載の再充電可能な自動照明ランプシステム。
【請求項１５】
再充電可能な自動照明ランプシステムであって、
発光体のセットをサポートするように取り外し可能に適合される充電サブアッセンブリであって、それの上でサポートされている該発光体のセットの発光体のそれぞれに結合されている第１の回路を含み、それの上でサポートされている該発光体のセットの発光体のそれぞれに充電信号を提供するために、供給されるＡＣ電源に応答して動作する、壁に取り付け可能な再充電ベースと、
該発光体のセットのそれぞれの発光のそれぞれが該充電ベース上でサポートされていることを表すシート信号を提供するセンサと、
第２の回路を介して再充電可能バッテリパックに接続されている発光素子を有する発光体のセットであって、該発光体のセットの該発光体のそれぞれが、その上でサポートされているとき、該再充電可能バッテリパックを充電するように１つのモードで動作し、該充電信号の欠如に応答して該発光素子を起動するように別のモードで動作する、発光体のセットと
を備え、
該充電サブアッセンブリから取り外されるとき、該発光体のそれぞれは点灯し、その上でサポートされている際に、ＡＣ電源が該充電サブアッセンブリに供給されていないとき、点灯せず、かつ、その上でサポートされている際に、充電信号がないとき、点灯しない、再充電可能な自動照明ランプシステム。
【請求項１６】
前記セットは、１つ以上の発光体を含む、請求項１５に記載の再充電可能な自動照明ランプシステム。
【請求項１７】
前記充電サブアッセンブリは、充電ベースである、請求項１５に記載の再充電可能な自動照明ランプシステム。
【請求項１８】
前記充電ベースに取り外し可能に取り付けされたカバーをさらに含む、請求項１７に記載の再充電可能な自動照明ランプシステム。
【請求項１９】
前記充電ベースに取り付けされたハンドルをさらに含む、請求項１７に記載の再充電可能な自動照明ランプシステム。
【請求項２０】
前記発光体のセットの前記発光体の少なくとも１つに取り付けられたスイッチであって、独立して、該発光体の少なくとも１つをターンオン／オフするスイッチをさらに含む、請求項１５に記載の再充電可能な自動照明ランプシステム。
【請求項２１】
再充電可能な自動照明ランプシステムであって、
少なくとも１つの再充電可能なランプ部材をサポートするように取り外し可能に適合されたベース部材であって、該少なくとも１つの再充電可能なランプ部材は、該ベース部材上に受容され得る、かつ、取り外し可能である、ベース部材と、
少なくとも１つのランプ部材であって、少なくとも１つのランプ部材のそれぞれは、電源によって電力を供給される「オン」および「オフ」状態を有するライトを含み、該ベース部材上で受容されるように、かつ、取り外されるように適合される、少なくとも１つのランプ部材と、
該少なくとも１つのランプ部材のそれぞれに結合されている自動照明回路であって、該ベース部材の上で受容され、かつ、該ベース部材から取り外されるように適合された少なくとも１つのランプ部材のそれぞれをサポートするように取り外し可能に適合される該ベース部材上の該少なくとも１つのランプ部材のそれぞれの受容に応答して１つのモードで動作し、該ベース部材の上で受容される該少なくとも１つのランプ部材のそれぞれの該ライトを「オフ」状態にし、かつ、該ベース部材の上で受容され、かつ、該ベース部材から取り外されるように適合された少なくとも１つのランプ部材のそれぞれをサポートするように取り外し可能に適合される該ベース部材から該少なくとも１つのランプ部材のそれぞれの取り外しに応答して別のモードで動作し、該ベース部材から取り外される該少なくとも１つのランプ部材のそれぞれの該ライトを「オフ」状態にする、自動照明回路と
を備え、
該ベース部材から取り外されるとき、該少なくとも１のランプ部材のそれぞれは点灯し、該ベース部材で受容されるとき、消灯する、再充電可能な自動照明ランプシステム。
【請求項２２】
前記少なくとも１つランプ部材のそれぞれは、再充電可能ランプ部材であり、該少なくとも１つの再充電可能ランプ部材の電源は、再充電可能バッテリである、請求項２１に記載の再充電可能な自動照明ランプシステム。
【請求項２３】
供給されたＡＣ電源に応答して充電信号を提供ように適合される充電回路をさらに含み、前記ベース部材上の前記少なくとも１つのランプ部材のそれぞれの受容に応答して動作する前記自動照明回路は、該ベース部材の上で受容される前記少なくとも１つの再充電可能ランプ部材のそれぞれの該再充電可能バッテリに該充電信号を供給するように１つのモードでさらに動作する、請求項２２に記載の再充電可能な自動照明ランプシステム。
【発明の詳細な説明】
【技術分野】
【０００１】
（発明の分野）
本発明は照明分野、特に新たな再充電可能なランプシステムに関する。
【背景技術】
【０００２】
（発明の背景）
ろうそくは、照明および／または雰囲気を提供するために移動されたり、配置されたりしうる。ろうそくの実用的および美的利点はよく知られているが、それは望ましくない自己消費を余儀なくされ、消耗すると取替えが必要であり、吸い込むと特に煙を出し、それが空気を汚す。絶えずつきまとう火災の不安を緩和するためには慎重な注意が必要である。戸外で用いるとき、あるいは移動させるときは、空気の流れによって消えてしまいやすい。また、不快なワックスを付着させるので、多くの場合、それをろうそくのサポート部材やベース構造物から取り除く必要がある。
【０００３】
そのため、ろうそくの不利な点を有さず、ろうそくの多くの実用的で美学的な利点を享有する再充電可能なランプシステムを提供する必要性がある。
【発明の開示】
【発明が解決しようとする課題】
【０００４】
（発明の要旨）
従って、本発明の一般的な目的は、ろうそくに付随する問題を避けた、屋内あるいは屋外使用のための、ろうそく類似の照明を提供する、再充電可能なランプシステムを開示することである。
【課題を解決するための手段】
【０００５】
それに従って、本発明の再充電可能な自動照明ランプシステムは、発光体のセットを受容するために適用された再充電ベースを含み、再充電ベースは発光体のセットのそれぞれの発光体に結合されて、それを通じて発光体が受け取られる第１の回路を含み、その回路は、発光体のセットの各発光体に充電信号を提供するために供給されるＡＣ電源に応答して動作する。また、発光体のセットは、第２の回路を介して充電可能なバッテリパックに結合された発光素子を有し、発光体のセットのそれぞれが再充電ベース上で受け取られるとき、充電信号に反応して再充電可能なバッテリパックを充電するために、一つのモードで動作し、また、前記信号の未検出に応答して発光素子を活性化するために別のモードで動作し、それにより、再充電ベースから取り外される場合、また再充電ベースにＡＣ電源が供給されない場合に発光体が点灯する。
【０００６】
好ましい本実施形態において、発光体のセットは、そのそれぞれが再充電プラッタの第1の回路に誘導的に結合されている一つ以上の発光体を含む。その誘導結合が、再充電プラッタにより受容するとき、自動的で手動操作のいらない発光体の再充電バッテリパックの再充電を提供し、それが取り外されるとき、自動的で、手動操作のいらない発光体作動を提供する。
【０００７】
好ましい本実施形態において、発光体のセットの各発光体はセルフスタンディングであり、その中で発光素子をサポートする基盤部材に開放可能なように取り付けられた、ろうそくに似せて形作られ得るディフューザを含む。
【０００８】
さらに、本発明の再充電可能な自動照明ランプシステムは、発光体セットをサポートするために適用される、壁に取り付け可能な充電ベースを有し、それは発光体のセットのそれぞれをその上で支えるよう、各発光体に結合される第１の回路を含む。第1の回路はその上でサポートされる発光体のセットの各発光体に連結して、充電信号を提供するために、供給されたＡＣ電源に反応して動作する。また、発光体のセットは、それぞれが第２の回路を介して充電可能なバッテリパックに結合された発光体素子を有し、発光体のセットの各発光体がその上でサポートされるときに充電信号に応答して再充電バッテリパックを充電するために、一つのモードで動作し、信号未検出に応答して発光体素子を活性化させるためにもう一つのモードで動作し、それにより壁に取り付け可能な受電ベースから取り外される場合、またその上で支えられている、壁に取り付け可能な充電ベースにＡＣ電源が供給されない場合、点灯する。
【０００９】
好ましい本実施形態において、壁に取り付け可能な充電ベースは直接壁のＡＣ電源のプラグに差し込まれ得、また／あるいは任意の適切な取り付け機器により壁のＡＣ電源プラグに近接して取り付けられ得る。
【００１０】
さらに、本発明の再充電可能な自動照明ランプシステムは、第１の回路を含む発光体のセットをサポートするために適用された充電ベースを含み、第１の回路は、発光体のセットの各発光体に結合されてそれらをサポートし、供給されたＡＣ電源に反応して、発光体のセットのそれぞれに充電信号を提供するために動作する。また、発光体のセットの各発光体が充電ベース上にサポートされているシート（ｓｅａｔ）信号を表すセンサと、および発光体のセットを含み、各発光体は、第２の回路を介して再充電可能なバッテリパックに結合される発光素子を有し、発光体のセットの各発光体がその上でサポートされているとき、充電信号に反応して再充電バッテリパックを充電するために一つのモードで動作し、シート信号の未検出に応答して、発光素子を活性化するために別のモードで動作し、それにより、充電ベースから取り外された場合、また、サポートされている前記充電ベースにＡＣ電源が供給されない場合、点灯する。
【００１１】
好ましい本実施形態において、充電ベースは、充電、格納の間、発光体を保護するために取り外しのできるカバーと、輸送を助けるためのハンドルを提供され得る。
【００１２】
本発明の、これらの、また他の目的、利点、および発明的局面は、好ましい実施形態についての以下の詳細な説明が添付の図と関連して考察されるとき、よりよく理解される。
【発明を実施するための最良の形態】
【００１３】
（好ましい実施形態の詳細な説明）
ここで図１を参照して、参照数字１０は概して本発明の再充電可能なランプシステムを参照する。ランプシステム１０は、充電スタンド１２と複数のランプモジュール１１０、１１１、１１２および１１４とを備える。
【００１４】
図１および図２に示されるように、スタンド１２はスロット１６、１８、２０および２２を備え、これらはそれぞれランプモジュール１１０、１１１、１１２および１１４のうち１つを取り外し可能なように支えるよう適合される。スロット１６、１８、２０および２２はそれぞれ、各円筒状の壁３８、４０、４２および４４と、実質的に平面の底４６、４８、５０および５２とを含む。
【００１５】
インライン電源スイッチ２６と「壁ブロック」型変圧器とを有する電源コード２４は、通常の１２０ボルトの家庭用電流を介して電源スタンド１２に電力を供給する。代わりの実施形態では、変圧器はなしで済まされ得る。
【００１６】
ここでより詳細に説明されるように、モジュール１１０、１１１、１１２および１１４のそれぞれは、電池式であり、スロット１６、１８、２０および２２の各１つに置かれると磁気誘導によって充電されるよう設計されている。モジュール１１０、１１１、１１２および１１４はそれぞれ、スロット１６、１８、２０および２２から取り除かれるとき、または充電スタンド１２へのＡＣ電源が中断されるとき、照らすように設計されている。
【００１７】
好ましい実施形態で示されたランプモジュール（および各モジュールに対応するスロット）の数は、単なる例示的なものと意図される。本発明のランプシステム１０は任意の数のモジュールで構成され得ると理解されたい。
【００１８】
ここで、図３および図４を参照して、スタンド１２はまた上部３０と下部３２とを含む。例示的な実施形態では、上部３０はセラミックである。しかしながら、上部３０は、例えば木またはプラスティックといった他の適切な材料からも作製され得る。節約のために、例示的な実施形態の下部３２は、射出成形されたプラスティックから形成されるが、これもまた例えばスチールまたは他の金属または他の材料といった、他に適切な材料からも十分に作製され得る。例示的な実施形態では、上部３０と下部３２とは一緒にスナップスル。しかしながら、たとえば、ボンド、ネジ等といった任意の適切な手段を用いて上部３０および下部３２を安定し得る。
【００１９】
図２、図５および図６に示されるように、スタンド１２はさらに、回路基板５８を含み、この回路基板５８はコード２４と４つの一次誘導コイル（並列に配線されている）に配線され、１つのコイルはそれぞれ壁３８、４０、４２および４４のそれぞれを取り囲んでいる。図５は、壁４４および４２をそれぞれ取り囲む一次誘導コイル５４および５６のペアを示す。同質の一次コイル（図示せず）壁３８および４０を取り囲む。
【００２０】
図７は、変圧器２８、インライン電力スイッチ２６および一次誘導コイル５４によって形成された回路を示す。図７に示されるように、変圧器２８は１２０ボルトＡＣを１２ボルトＡＣに変換する。他に３つの一次誘導コイル（図示せず）は、好ましくは一次誘導コイル５４と並列に配線される。他の実施形態では、変圧器コンポーネントは（プラッタおよび発光体上の）誘導コイルに置き換えられ得、この誘導コイルの巻き線比はランプに下げられた電圧を提供するために選択される。当業者から理解されるように、電灯線周波数よりも高い周波数を提供する発振器は、効率性を上げる（誘導子の大きさおよび付随する費用）ために用いられる。
【００２１】
モジュール１１０、１１１および１１２はモジュール１１４と同質である。よって、モジュール１１４を詳細に説明することのみが必要である。
【００２２】
図８から図１６に示されるように、モジュール１１４は、ディフューザ１１６、電球１１８、バッテリパック１２０、回路基板１２２、二次誘導コイル１２４およびベース１２６を備える。
【００２３】
例示的な実施形態のディフューザ１１６は、中空成形されたプラスティック（またはガラス）から形成され、艶消しされた外面１４２を有する。これはまた、射出成形されたプラスティックで、艶消しされ半透明の仕上げもあり得る。例示的な実施形態では、ディフューザ１１６は、形は細くて長く、頂点１４４へ上向きに次第に細くなり、尾部１４８へ僅かに次第に細くなる中間部１４６を含む。この形は、最適な光の色および伝播、ならびに電球１１８から光を拡散することさえも提供するために選択された。明らかに、ディフューザ１１６の形には多数の代わりの形が可能である。しかしながら、ディフューザ１１６によって生成される内容積は、電球１１８、バッテリパック１２０および回路基板１２２を包むのに十分でなければならない。さらに、電球１１８から生成される熱のため、電球１１８とディフューザ１１６との間に気腔を提供することにより、ディフューザ１１６が溶けるたり変形したりすることから防ぐことが所望される。
【００２４】
ベース１２６は、モジュール１１４が水平面上に、またはスロット１６内に置かれるとき、モジュール１１４のための安定した支えを提供する底部１２８を備える。ネック１３０は、（電球１１８とバッテリパック１２０とへのアクセスを可能にするために）ディフューザ１１６を取り外し可能なように支えるよう適合される。ネック１３０は、タブ１３４、１３６、１３８および１４０と、リップ１３５とを含み、これらはモジュール１１４の尾部１４８をネック１３０に固定するために協働する（図８、図１３および図１４参照）。
【００２５】
例示的な実施形態のバッテリパック１２０は、ＰＶＣ収縮包装で包まれた３つの「ＡＡ」ニッケルカドミウム（Ｎｉ−Ｃａｄ）電池を備え、３．６Ｖｄｃおよび５００〜８００ｍＡの総出力を有する。もちろん、例えばニッケル水素電池またはリチウム電池といった、他のタイプで大きさの再充電可能な電池が、Ｎｉ−Ｃａｄ電池の代わりになり得る。そのような電池はより大きな電力を提供し、Ｎｉ−Ｃａｄよりも急速に充電するが、大幅により高価である。
【００２６】
電球１１８への電力要求はもちろん、バッテリパック１２０の電力出力に一致するように選ばれる。例示的な実施形態では、電球１１８は、例えばＣｈｉｃａｇｏ  Ｍｉｎｉａｔｕｒｅ  Ｌａｍｐ，Ｉｎｃ．ｐａｒｔ＃ＣＭ１７３８といった従来の小型の白熱電球であり、１カンデラの出力を有し、２．８０Ｖおよび６０ｍＡの設計電力要求と６，０００時間の期待耐用年数とを有する。もちろん、例えば発光ダイオード（Ｌ．Ｅ．Ｄ）といった、他のランプと他タイプの光源とがバルブ１１８の代わりになり得る。図示された白熱電球は、費用、熱生成、電力消費、期待耐用年数および輝度の特性のバランスから好まれる。
【００２７】
図１３および図１４に示されるように、電球１１８とバッテリパック１２０とは、好ましくは回路基板１２２に配線される。図１６に示されるように、回路基板１２２は、バッテリパック１２０の充電と電球１１８の点灯とを制御する４つの一次回路を備える。
【００２８】
充電回路１５０は、二次誘電コイル１２４からバッテリパック１２０に流れる電圧および電流を調節して、バッテリパック１２０への損傷を防ぐ。ラッチ回路１５４は、バッテリパック１２０の電圧出力が３．１ボルトを下回ると、電球１１８への電流を中断するので、完全に使い果たされたバッテリパック１２０によって引き起こされ得る、バッテリパック１２０への損傷を防ぐ。充電検出スイッチ１５６は、ラッチ回路１５４と協働して働くことにより、電流が充電回路１５０に検出されると、電球１１８への電流を停止する。定電流源回路１５２は、電球１１８への電流（例示的な実施形態では６５ｍＡ）の途絶えることのない流れを提供する。これにより、電球１１８がバッテリパック１２０からの出力電流に変動があるにもかかわらず、一定の輝度で光ることを可能にする。別の実施形態では、定電圧源が用いられ得る。
【００２９】
前述したように、バッテリパック１２０は磁気誘導によって変化する。一次誘電コイル５４によって（電流が供給されるとき）生成される磁界は、二次誘電コイル１２４が一次誘電コイル５４に対して同軸に位置づけされるとき、二次誘導コイル１２４の電流を誘導する。本発明では、これはモジュール１１４がスロット１６内に置かれるとき起きる（図１参照）。
【００３０】
完全に充電されたバッテリパック１２０は、Ｎｉ−Ｃａｄ電池の保管期間を長くするので、バッテリパック１２０は完全に充電された状態で出荷することが好ましい。しかしながら、完全に充電されたバッテリパック１２０を出荷することは、バッテリパック１２０が充電される時間とモジュール１１４が最終消費者から最初に使用されるときとの間に、ランプ１１８からバッテリパック１２０を電気的に絶縁するための方法を含むことを必要とする。そのような方法は、初期の充電後に２つの電気的接触の間に挿入されたマイラータブ（Ｍｙｌａｒｔａｂ）（図示せず）を備え得、このマイラータブは消費者が最初に使用する前に取り除かれる。あるいは、そのような方法は、可融性のリンク（図示せず）を備え得る。可融性のリンクは、電流が充電回路１５０で検出されると（すなわち、消費者が始めて充電スタンド１２のプラグを差し込むとき）、回路１５２を調節する電流を中断するよう適合される。
【００３１】
ランプシステム１０の動作は、簡潔に単純である。前述したように、電球１１８は、電流が充電回路１５０に検出されると照らすように設計される。よって、電球１１８は、モジュール１１４がスロット１６から取り除かれると、自動的にオンになる。充電スタンド１２とモジュール１１４とはまた、モジュール１１４をスロット１６に残し、インライン充電スイッチ２６をオフに切替えることによって、テーブルランプとして機能し得る。モジュール１１４はまた、停電の間自動的にオンになる、非常灯としても機能する。
【００３２】
図１７を参照すると、参照数字２００は本発明の再充電可能なランプシステムの別の例示的な実施態様を参照する。ランプシステム２００は、通常２０２と指定される壁に取り付け可能な充電ベースおよび通常２０４と指定される４つのランプモジュールを構成する。好ましい実施態様に示されるランプモジュールの数は単に例示的なものとして意図されている。本発明のランプシステム２００はモジュール数に制限されず構成され得るということを理解されるべきである。
【００３３】
示されているように、壁に取り付け可能な充電ベース２０２は、各ランプモジュール２０４の幅よりも大きな間隔を側方にとる突起部２０６を構成し、各ランプモジュール２０４は、通常２０８と指定される２０４の表面に近い開口を備える。突起部２０６は開口２０８と協働で、壁に取り付け可能な充電ベース２０２の上にランプモジュールを移動性で支える。突起部２０６および開口２０８は通常それぞれ円柱状に幾何学であるが、別の幾何学または他の移動性補助方法の突起部および開口は発明的概念から発していなくても用いられ得る。
【００３４】
各突起部は遊離端を有し、ディフューザ２１０はＬＥＤおよび示されていないがＬＥＤに実装の周囲光源の上の遊離端に移動性でまたは固定して実装してある。ＬＥＤに実装の周囲光源は、周囲暗黒の状態に応じてＬＥＤのスイッチを入れる。各ランプモジュール２０４は、平台２１２および、上下に長い開口２０８を包囲する表面ディフューザ２１４を有す。平台２１２によって各ランプモジュール２０４は棚上または机上に設置することができる。開口２０８によって持ち運びが可能であるかまたはフックに掛けることが可能であることにより、さまざまな状況で照明を提供することができる。
【００３５】
電源コード２１６は、示されていないがインライン電源スイッチを有し、通常１２０ボルトの家庭用電流を介して壁に取り付け可能な充電ベース２０２に電源を供給する。ベース２０２はいかなる適切な実装方法によっても、ＡＣ壁コンセントの上に、またはＡＣ壁コンセントの関連で間隔を空けて、壁に実装され得、凸部および／または電源コード包装、または他の方法が用いられて、壁に取り付け可能な充電ベース２０２内の過剰コードを収容する。交互性の実施態様では、電源スイッチが与えられている可能性がある。
【００３６】
図１〜１６の記述に関係する上記の実施態様において、各ランプモジュール２０４は磁気誘導によって充電されるように設計されている。磁気誘導結合は示されていない第１および第２のコイルによって提供され、充電ベースの突起部２０６で維持され、各突起部２０６のひとつによって支えられているとき、ランプモジュール２０４の開口２０８が携帯される。接合電気接触のような他の結合、または他の方法は発明的な概念から発していなくても用いられる。
【００３７】
図１〜１６に関連する上記の実施態様にあるように、モジュール２０４は、突起部２０６から除去されたとき、または壁に取り付け可能な充電ベース２０２へのＡＣ電力が切断されるとき、それぞれ照明するように設計されている。壁に取り付け可能な再充電ベースは提供されるＡＣ電力に応答する第１の充電回路を含み、充電信号を提供する。各ランプモジュールは、各ランプモジュールが壁に取り付け可能な充電ベースによって支えられていて、充電信号が点滅していない状況に反応して別のモードで光出射要素を起動させるのに操作的であるとき、１つのモードで充電信号に応答して再充電可能なバッテリパックを充電するのに操作的な第２の回路を介して、再充電可能なバッテリパックに接続する光射出要素を含み、壁に取り付け可能な再充電ベースから除去されると各ランプモジュールは点灯し、ＡＣ電力が支えられている壁に取り付け可能な再充電スに提供されないと、点灯する。
【００３８】
スイッチ（示されていない）が提供され得、独立に各ランプモジュール２０４のスイッチをオン／オフして、充電を保存するかまたは必要な光を使用する。
【００３９】
図１８を参照すると、参照数字２３０は、本発明の再充電可能なランプの例示的な別の実施態様を通常参照する。ランプシステム２３０は、通常２３２と指定される壁に埋め込んだコンセントの取り付け可能な充電ベース、および、通常２３４と指定される単一ランプモジュールを構成する。実施態様２３０は、図１７に関する上記の実施態様２００と通常同一であるが、ベースを直接的に標準ＡＣの壁に埋め込んだコンセントに差し込むために適合された延長プラグ部材２３６を含む壁に埋め込んだコンセントの取り付け可能な充電ベース２３２を除く。
【００４０】
図１９を参照すると、参照数字２５０は、本発明の再充電可能なランプシステムの例示的な別の実施態様を通常参照する。ランプシステム２５０は、通常２５２と指定されるキャリア／充電ベース、および、通常２５４と指定される１０個のランプモジュールを備える。カバー２５６は、半透明であることが好ましが、いかなる適切な方法によってでも、キャリア／充電ベース２５２に移動性に実装され、柄部材２５８は、アルミニウム製であることが好ましいが、他の金属および材質であり得て、いかなる適切な方法によってでもキャリア／充電ベース２５２に取り付けられる。カバー部材２５６は充電中、格納中、遷移中にランプモジュールを保護し、柄部材２５８は移動を容易にするために提供される。好ましい実施態様に示されるランプモジュールの数は単なる例示として意図されるのみである。本発明のランプシステム２５０はいく数のモジュール数でも構成され得ることを理解されるべきである。
【００４１】
図２０を参照すると、参照数字２７０は、１つのモジュールからキャリア／充電ベースインターフェースへの斜視図を示す。上記の実施態様で用いられる誘導結合とは異なり、キャリア／充電ベース２５２上の接触２７２は、キャリア／充電ベース２５２上に支えられているとき、接触２７４と協働で充電信号を各ランプモジュール２５４に提供する。バネをロードしたアーム２７６は、キャリア／充電ベース２５２上に提供される通常２７８と指定される容器に位置しているとき、各ランプモジュール２５４を支えるために提供される。オン／オフ部材スイッチ２８０（または他の適切な方法）は、独立してスイッチをオン／オフし得るように各ランプモジュールの上に提供されている。ＬＥＤ２８２の状態の各モジュールへの変化は、関連するランプモジュール２５４が十分に充電されているとき点灯するキャリア／充電ベース２５２に提供されている。シートセンサ接触２８４、２８６は、ＡＣ電力が提供されていない場合にキャリア／充電ベースの上に支えられているとき、各ランプモジュールの光を抑制させるように記述される方法で各ランプモジュールに使用されるシート信号を提供する。シート信号は接地可能性であるものが好まれるが、いかなる適切なセンサ接触または、支えられた状態でランプモジュールを表すいかなる信号をも提供する他の方法は、発明的概念から発することがなくても用いられ得る。
【００４２】
ここで、図２１を参照して、参照数字２７０は概して、キャリア／充電ベース回路構成のブロック図を示す。図示されるように、ＡＣ／ＤＣ変換器２７２は、標準ＡＣ電力に応答し、充電信号出力信号を提供し、シートセンサ２７４は、グラウンド電位でシート信号を提供する。ＡＣ／ＤＣ変換器２７２は、好ましくは、各再充電可能なバッテリパックに完全な充電を提供するために確定された所定の時間後、充電信号をオフにするためにタイマーを含む。
【００４３】
ここで、図２２を参照して、参照数字３００は概して、ランプモジュール回路構成のブロック図を示す。充電回路３０２は、（各モジュールの）バッテリパック３０４に流れる電圧と電流とを調節することにより、バッテリパック３０４への損傷を防ぐ。ラッチ回路３０６は、バッテリパック３０４の電圧出力が所定値を下回って下がるとき、各ランプへの電流を停止し、よって、完全に使い果たされたバッテリパック３０４によって引き起こされ得るバッテリパック３０４への損傷を防ぐ。ラッチ回路３０６は、充電検出スイッチ３０８と協働して働くことにより、電流が充電回路３０２に検出されるとき、もしくはシート信号が検出されるとき各ランプへの電流を中断する。これは、ランプが、バッテリパック３０４からの出力電流の変動にもかかわらず、一定の輝度で輝くことを可能にする。別の実施形態では、定電圧源が使用され得る。
【００４４】
より広い局面の本発明は、記載された実施形態に制限されず、本発明の原則から逸脱することなく、かつ主な利点を犠牲にすることなく発展がなされ得る。明らかに、多数の修正が本発明になされ得る。従って、本発明は、特にここで記載されたものとは別な方法でも実行され得る。一実施形態の１つの特徴が、他の開示された実施形態に採用され得る。電力コードは、コードの制限なくベース配置に対して取り外し可能にされ得る。他の修正
は本発明の範囲から逸脱することなく当業者にとって容易に明らかである。
【図面の簡単な説明】
【００４５】
【図１】本発明の例示的実施形態の斜視図であり、充電スタンドおよび一つのランプモデユールを示す。
【図２】充電スタンドの平面図である。
【図３】充電スタンドの正面図である。
【図４】充電スタンドの底面図である。
【図５】図２の線５−５に沿った、充電スタンドの断面図である。
【図６】図２の線６−６に沿った、充電スタンドの断面図である。
【図７】充電スタンド回路の回路図である。
【図８】本発明によるランプモジュールの例示的実施形態の組立斜視図である。
【図９】ランプモジュールの正面図である。
【図１０】ランプモジュールの右側図である。
【図１１】ランプモジュールの平面図である。
【図１２】ランプモジュールの底面図である。
【図１３】図９の線１３−１３に沿ったランプモジュールの断面図である。
【図１４】図１０の線１４−１４に沿ったランプモジュールの断面図である。
【図１５】図９の線１５−１５に沿ったランプモジュールの断面図である。
【図１６】本発明によるランプモジュール回路版の回路図の例示的実施形態である。
【図１７】本発明の別の例示的実施形態の描写図であり、壁に取り付け可能な充電ベースおよび４つのランプモジュールを示す。
【図１８】本発明の別の例示的実施形態の描写図であり、壁のコンセントに取り付け可能な充電ベースおよび信号ランプモジュールを示す。
【図１９】本発明の別の例示的実施形態の描写図であり、キャリア／充電ベースおよび８つのランプモジュールを示す。
【図２０】ｏｎｅ  ｍｏｄｕｌｅ−ｔｏ−ｃａｒｒｉｅｒ／充電ベースインターフェースを示す描写図である。
【図２１】例示的キャリア／充電ベース回路網のブロック図である。
【図２２】例示的ランプモジュール回路網のブロック図である。
【図１】
2007521611.tif 000003
【図２】
2007521611.tif 000004
【図３】
2007521611.tif 000005
【図４】
2007521611.tif 000006
【図５】
2007521611.tif 000007
【図６】
2007521611.tif 000008
【図７】
2007521611.tif 000009
【図８】
2007521611.tif 000010
【図９】
2007521611.tif 000011
【図１０】
2007521611.tif 000012
【図１１】
2007521611.tif 000013
【図１２】
2007521611.tif 000014
【図１３】
2007521611.tif 000015
【図１４】
2007521611.tif 000016
【図１５】
2007521611.tif 000017
【図１６】
2007521611.tif 000018
【図１７】
2007521611.tif 000019
【図１８】
2007521611.tif 000020
【図１９】
2007521611.tif 000021
【図２０】
2007521611.tif 000022
【図２１】
2007521611.tif 000023
【図２２】
2007521611.tif 000024
【国際調査報告】
2007521611.tif 000025
2007521611.tif 000026